(57)【特許請求の範囲】
【請求項１】
複数の画像データを入力するための画像入力手段と、前記画像入力手段により入力された複数の画像データの中から特定の画像データを所望の出力形式に加工処理するための画像処理手段と、前記画像処理手段により画像処理された画像データを印刷物として出力するための出力手段と、を備えるプリントシステムにおいて、
前記画像入力手段により入力された複数の画像データから特定の画像データを検索するための検索手段を、更に具備し、
前記検索手段は、複数の画像データを適当に選択しながら画像データを絞り込み特定の画像データを検索する絞り込み検索手段をさらに備え、
前記絞り込み検索手段が、
前記画像入力手段により入力された画像データを表示するための表示手段と、
表示された画像データの中から少なくとも１つの画像データを選択する選択手段と、
前記選択手段により複数の画像データが選択された場合に、前記選択された複数の画像データを再表示する再表示手段と、
を備えていることを特徴とするプリントシステム。
【請求項２】
複数の画像データを入力するための画像入力手段と、前記画像入力手段により入力された複数の画像データの中から特定の画像データを所望の出力形式に加工処理するための画像処理手段と、前記画像処理手段により画像処理された画像データを印刷物として出力するための出力手段と、を備えるプリントシステムにおいて、
前記画像入力手段により入力された複数の画像データから特定の画像データを検索するための検索手段を、更に具備し、
前記検索手段は、
前記画像データがページ分けされて表示される画面をスキップさせて所定の画面を表示し、特定の画像データを検索するスキップ検索手段と、複数の画像データを適当に選択しながら画像データを絞り込み特定の画像データを検索する絞り込み検索手段と、を備え、
前記スキップ検索手段が、
前記画像入力手段により入力された画像データを所定の画面数ごとにページ分けする分割手段と、
前記分割手段によりページ分けされた画面毎にページ番号を付する付勢手段と、
前記分割手段によりページ分けされた画面のそれぞれに前記付勢手段により付された全画面のページ番号を表示する表示手段と、を具備し、
前記ページ番号を選択することにより、前記ページ番号により特定される画面が表示され、
前記絞り込み検索手段が、
前記画像入力手段により入力された画像データを表示するための表示手段と、
表示された画像データの中から少なくとも１つの画像データを選択する選択手段と、
前記選択手段により複数の画像データが選択された場合に、前記選択された複数の画像データを再表示する再表示手段と、
を備えていることを特徴とするプリントシステム。
【請求項３】
前記検索手段は、画像データの情報データを一覧表示して特定の画像データを検索するための一覧表示検索手段をさらに備え、
前記一覧表示検索手段が、前記画像入力手段により入力された画像データの情報データを項目別に抽出する抽出手段と、所望の情報データに関連する情報データを入力するための入力手段と、前記入力手段により入力された情報データと前記抽出手段により抽出された情報データとが比較されて一致する情報データのみを一覧表示するための表示手段と、が備えられていることを特徴とする請求項１又は２に記載のプリントシステム。
【請求項４】
画像データの色調を変換するための色調変換手段が備えられていることを特徴とする請求項１乃至３のいずれか一つに記載のプリントシステム。
【請求項５】
前記色調変換手段が、前記検索手段により検索された特定の画像データの色調を変換するための項目と前記項目の色調レベルとを表示するための表示手段と、前記表示手段により表示された色調レベルを変更するための変更手段と、が備えられていることを特徴とする請求項４に記載のプリントシステム。
【請求項６】
前記色調変換手段が、前記検索手段により検索された特定の画像データの色調を予め設定された色調に変換し色調の異なる画像データを複数表示するための表示手段と、前記表示手段により表示された画像データの中から所望の画像データを選択するための選択手段と、が備えられていることを特徴とする請求項４に記載のプリントシステム。
【発明の詳細な説明】
【０００１】
【発明の属する技術分野】
本発明は、昇華転写方式を用いたプリントシステム（プリント装置）における画像データの検索表示機能及び画像データの加工機能に関する。
【０００２】
【従来の技術】
従来のプリント装置においては、複数の画像データの中から所望の画像データを特定する際には、画像データがランダムに表示される。顧客は、表示された画面を見ながら特定の画像データを探し出し選択して特定していた。
【０００３】
また、印刷される印刷物は予め定められている色調に補正されて印刷され、出力されていた。
【０００４】
【発明が解決しようとする課題】
しかしながら、従来のプリント装置は、画像データがランダムに表示されるため、画像データが複数ある場合には、所望の画像データを探し出すのに時間がかかるという問題点があり、条件を入力することにより、画像データを絞り込むことができると便利である。
【０００５】
また、予め定められた色調でしか印刷できないという問題点があり、自分の意図する色調に容易に補正して出力することができれば便利である。
【０００６】
そこで本発明の第１の目的は、複数の画像データの中から容易に所望の画像データを検索することができるプリントシステムを提供することである。また、第２の目的は、画像データの色調を自分の意図する色調に変更して出力することができるプリントシステムを提供することにある。
【０００７】
【課題を解決するための手段】
以下、本発明について説明する。なお、本発明の理解を容易にするために添付図面の参照符号を括弧書きにて付記するが、それにより本発明が図示の形態に限定されるものではない。
【００１３】
請求項１の発明は、複数の画像データを入力するための画像入力手段と、前記画像入力手段により入力された複数の画像データの中から特定の画像データを所望の出力形式に加工処理するための画像処理手段と、前記画像処理手段により画像処理された画像データを印刷物として出力するための出力手段と、を備えるプリントシステムにおいて、前記画像入力手段により入力された複数の画像データから特定の画像データを検索するための検索手段（５ａ）を、更に具備し、前記検索手段は、複数の画像データを適当に選択しながら画像データを絞り込み特定の画像データを検索する絞り込み検索手段（４６）をさらに備え、前記絞り込み検索手段が、前記画像入力手段により入力された画像データを表示するための表示手段と、表示された画像データの中から少なくとも１つの画像データを選択する選択手段と、前記選択手段により複数の画像データが選択された場合に、前記選択された複数の画像データを再表示する再表示手段と、を備えていることを特徴とする。
【００１４】
この発明によれば、画面上に表示された複数の画像において、その画像の中から任意の画像を選択することにより画像の選択範囲を徐々に狭めて、画像を絞り込むことができるため、特定の画像を容易に検索することができる。
【００１５】
請求項２の発明は、複数の画像データを入力するための画像入力手段と、前記画像入力手段により入力された複数の画像データの中から特定の画像データを所望の出力形式に加工処理するための画像処理手段と、前記画像処理手段により画像処理された画像データを印刷物として出力するための出力手段と、を備えるプリントシステムにおいて、前記画像入力手段により入力された複数の画像データから特定の画像データを検索するための検索手段を、更に具備し、前記検索手段は、前記画像データがページ分けされて表示される画面をスキップさせて所定の画面を表示し、特定の画像データを検索するスキップ検索手段と、複数の画像データを適当に選択しながら画像データを絞り込み特定の画像データを検索する絞り込み検索手段と、を備え、前記スキップ検索手段が、前記画像入力手段により入力された画像データを所定の画面数ごとにページ分けする分割手段と、前記分割手段によりページ分けされた画面毎にページ番号を付する付勢手段と、前記分割手段によりページ分けされた画面のそれぞれに前記付勢手段により付された全画面のページ番号を表示する表示手段と、を具備し、前記ページ番号を選択することにより、前記ページ番号により特定される画面が表示され、前記絞り込み検索手段が、前記画像入力手段により入力された画像データを表示するための表示手段と、表示された画像データの中から少なくとも１つの画像データを選択する選択手段と、前記選択手段により複数の画像データが選択された場合に、前記選択された複数の画像データを再表示する再表示手段と、を備えていることを特徴とする。
【００１６】
この発明によれば、ページ番号により画面をスキップさせて、特定の画像を容易に検索することができるとともに、画面上に表示された複数の画像において、その画像の中から任意の画像を選択することにより画像の選択範囲を徐々に狭めて、画像を絞り込むことができるため、特定の画像を容易に検索することができる。
【００１７】
請求項３の発明は、請求項１又は２に記載の発明において、前記検索手段は、画像データの情報データを一覧表示して特定の画像データを検索するための一覧表示検索手段をさらに備え、前記一覧表示検索手段が、前記画像入力手段により入力された画像データの情報データを項目別に抽出する抽出手段と、所望の情報データに関連する情報データを入力するための入力手段と、前記入力手段により入力された情報データと前記抽出手段により抽出された情報データとが比較されて一致する情報データのみを一覧表示するための表示手段と、が備えられていることを特徴とする。
【００１８】
この発明によれば、顧客が所望の情報データに関連する情報データを入力手段に入力することにより、入力した情報データに関連する画像データが表示手段により一覧表示されるため、特定の画像データを容易に検索することができる。
【００１９】
請求項４の発明は、請求項１乃至３のいずれか一つに記載の発明において、画像データの色調を変換するための色調変換手段が備えられていることを特徴とする。
【００２０】
この発明によれば、画像データの色調を自分の意図する色調に容易に変換することができる。
【００２１】
請求項５の発明は、請求項４に記載の発明において、前記色調変換手段が、前記検索手段により検索された特定の画像データの色調を変換するための項目と前記項目の色調レベルとを表示するための表示手段と、前記表示手段により表示された色調レベルを変更するための変更手段と、が備えられていることを特徴とする。
【００２２】
この発明によれば、変更手段により前記特定の画像データの色調レベルを変更することができるため、容易に画像データの色調を自分の意図する色調に変換して出力することができる。
【００２３】
また特定画像データを表示するための表示手段と、変更手段により色調レベルを変更した後の特定画像データを再表示するための再表示手段と、を備え、色調レベル変更後の特定画像データを確認できるようにしてもよい。
【００２４】
請求項６の発明は、請求項４に記載の発明において、前記色調変換手段が、前記検索手段により検索された特定の画像データの色調を予め設定された色調に変換し色調の異なる画像データを複数表示するための表示手段と、前記表示手段により表示された画像データの中から所望の画像データを選択するための選択手段と、が備えられていることを特徴とする。
【００２５】
この発明によれば、表示手段により表示された色調の異なる画像データの中から特定の画像データを選択するだけで、容易に自分の意図する色調に変換した画像を得ることができる。
【００２６】
【発明の実施の形態】
以下、本発明であるプリントシステムに係る実施の形態について詳細に説明する。
【００２７】
図１は本発明のプリントシステムの動作概要図、図２はプリント装置のシステム図である。
【００２８】
このプリントシステムは、記録メディア２に記録された画像データや画像を入力するための画像入力手段３と、画像入力手段３により入力された画像データを抽出するための画像抽出手段４と、画像抽出手段４により抽出された画像データの中から特定の画像データを検索するための検索手段５ａと、外部から選択又は入力するための外部入力手段６と、外部入力手段６により検索手段５ａを選択するための選択手段５と、外部入力手段６により選択（入力）された検索手段５ａにしたがって検索された画像データの色調を変換するための色調変換手段７と、検索手段５ａ又は色調変換手段７により検索された画像データ又は色調変換された画像データを編集するための編集手段８と、編集手段８により編集された画像データを表示するための表示手段９と、表示手段９により表示された画像データを印刷して出力するための出力手段１０と、を備える。
【００２９】
プリントシステムの具体的形態としてはプリント装置１である。このプリント装置１は、上記画像抽出手段４と選択手段５と検索手段５ａと編集手段８と色調変換手段７に係る制御及び全体の制御を行う制御部１６と、画像入力手段３としての第1画像入力部１１と第２画像入力部１２と、外部から検索手段を選択（入力）するための外部入力手段６又は検索手段により検索された画像データを、編集手段を介して表示するための表示手段９としての入力・表示部１３と、出力手段１０としての出力部１４と、課金処理を行うための課金処理部１５と、各種プログラムが記憶されている記憶部１７とが、バス１８を介して接続されている。
【００３０】
制御部１６は、ＲＯＭ、ＲＡＭ及び各部を制御する制御部を有するコンピュータが備えられる。
【００３１】
記憶部１７は、大容量のハードディスクが備えられている。このハードディスクには、画像データの入力から特定された画像データの出力までを制御するための画像処理プログラムや画像データから特定の画像データを抽出する方法を選択するためのプログラムや特定された画像データの色調を変換するためのプログラム等が記憶されている。また、画像の入力から印刷処理に係る処理（画像の抽出、画像の特定、画像の印刷等に係る処理）を行うための各種プログラムが記憶されている。
【００３２】
制御部１６は、上記記憶部１７に記憶されているプログラムが必要（種々の状況）に応じて読み出され、そのプログラムにしたがって、各種処理（例えば画像入力手段３により入力された画像データを所望の出力形式に加工処理するための画像処理手段や特定の画像データを検索するための検索手段５ａや検索された画像データの色調を変換するための色調変換手段７等）が実行される。また、バス１８を介して接続された各装置がそのプログラムにしたがって制御される。
【００３３】
画像入力手段３としての第１画像入力部１１は、画像データが記録されている記録メディアから画像データを読み取ったり、画像を画像データとして読み取るための画像データ読取装置を備える。画像データ読取装置は、各種の記録メディアに対応した種々の読取装置１〜ｎを含み、ユーザは持参した記録メディアに記録されている画像データを、対応する読取装置を用いてプリント装置に入力することができる。この画像データ読取装置には、アナログ画像をデジタル画像データとして読み取ることができるスキャナや、予めデジタル画像として記録されている電子媒体（記録媒体）を読み取ることができる電子媒体読取装置やＣＤ−ＲＯＭ読取装置を備える。電子媒体の例としては、フロッピー（Ｒ）ディスク（以下、「ＦＤ」と呼ぶ。）や、ＰＣカード、スマートメディア、コンパクトフラッシュ（Ｒ）等である。
【００３４】
また、他の画像入力手段３としての第２画像入力部１２は、デジタルカメラ等で撮影した画像データを直接読み取るためのＩ／Ｏ装置を備える。顧客は、このＩ／Ｏ装置をカメラに接続することにより、直接画像データを入力することができる。このＩ／Ｏ装置は、各メーカの転送方式に合わせて数種類のＩ／Ｏ装置を備えていてもよいし、特定のメーカに限定したＩ／Ｏ装置でもよい。
【００３５】
入力・表示部１３は、タッチパネル付きモニタを備える。このタッチパネル付きモニタは、入力された画像データを表示するとともに、記憶部に記憶されたプログラムを実行するための操作案内が表示される。また、このタッチパネル付きモニタは直接、モニタに表示された項目等（画像データや選択肢）を選択したり、文字を入力したりできる機能を備えている。このタッチパネル付きモニタにより、画像データの読込みから、印刷物の出力までの一連の操作が画面上で行われる。
【００３６】
出力部１４は、入力された画像データを印刷するための出力装置が備えられる。出力装置は、プリンタである。このプリンタの種類としては、昇華転写式プリンタが好適に使用される。
【００３７】
課金処理部１５は、ビルバリ、コインメック、レシートジャーナル処理部を備える。コインメック及び／又はビルバリは、料金支払のために投入された硬貨又は紙幣の真偽判定、金種判定、金額計算、釣り銭の放出等の課金処理を実行する。レシートジャーナル処理部１１は、レシート用紙にプリントメニューや領収金額等を印字し、レシートを放出する処理を行う。
【００３８】
このように本発明であるプリントシステムは、記録メディアやデジタルカメラ等に記録された画像データを入力するための画像入力手段３としての第１画像入力部１１と第２画像入力部１２と、画像入力手段３により入力された画像データを抽出するための画像抽出手段４としての画像抽出プログラムや、画像予め画像データを検索するための検索手段５ａとしての各種検索プログラム（絞り込み検索プログラム、スキップ検索プログラム、一覧表示検索プログラム）や、画像データの色調を変換するための色調変換手段７としての色調変換プログラムや、各種プログラムが実行された画像データを表示するための表示手段９としての表示処理プログラムや、画像データを所望の出力形式に加工処理するための画像処理手段としての画像処理プログラム等を記憶するための記憶部１７と、各種プログラムが実行された結果（画像データや選択項目等）を表示するとともに、表示された画像データや選択項目を選択するための選択手段５としての入力・表示部１３と、画像処理された画像データを印刷物として出力するための出力手段１０としての出力部１４と、が備えられている。
【００３９】
上記システムが備えられるプリント装置の外観図を図３に示す。図示のように、本体部１ａの上段部正面には、タッチパネル付モニタ２１の画面が配置される。この画面はＣＲＴや液晶パネルが使用される。このタッチパネル付モニタ２１は、操作の案内や、操作の状況や、読み取った画像或いは加工した画像等を表示する表示手段としての機能を発揮すると共に、表示選択手段、色調整変換手段等において入力操作を行う手段としての機能も発揮する。
【００４０】
画像データの入力部として、タッチパネル付モニタ２１の画面の横には、第１画像入力部である各種記録メディアの挿入口２１ａ〜２１ｅが設けられる。また、上段部と下段部とを分けている水平部には、プリント物の画像を読み取ってデジタルデータに変換するスキャナ２２の読み取り面が設けられる。
【００４１】
各種記録メディアの挿入口２１ａ〜２１ｅとして、具体的には、フロッピー（Ｒ）ディスク挿入口２１ａ、ＣＤ−ＲＯＭ挿入口２１ｂ、ＰＣカード挿入口２１ｃ、スマートメディア挿入口２１ｄ、コンパクトフラッシュ（Ｒ）挿入口２１ｅがひとまとめの位置に配置されている。また、図示はしていないが、各挿入口２１ａ〜２１ｅには、各装置保護のためのシャッタを備えていてもよい。
【００４２】
また、各種記録メディアの挿入口２１ａ〜２１ｅの下方には、カメラと直接接続するためのＩ／Ｏ装置２３を備える。また、図示のように、特定メーカと接続するためのＩ／Ｏ装置２３のみを備えていてもよいし、複数メーカと接続するためにその転送方式にあったＩ／Ｏ装置を複数備えるようにしてもよい。
【００４３】
本体部１ａの下段部は、メンテナンスキー２４、スピーカ２５、硬貨投入口２６、硬貨返却レバー２７、紙幣挿入口２８、釣銭返却口２９、レシート取出口３０、プリント物（標準プリント用）取出口３１、及びプリント物（プリカットシール用）取出口３２、前面ドア開閉キー３３が、それぞれ配置される。
【００４４】
メンテナンスキー２４は、顧客を受け付けることのできる通常の運転モードと、管理者が画像プリントシステムの設定やメンテナンスを行う管理モードを切り替えるキーである。管理モードにおいては、適宜必要に応じて、プリンタから出力する印刷物が標準発色情報と同じように出力するための色補正を行うことができる。スピーカ２５は、待機中や操作中に音声、ＢＧＭ、効果音などを再生する。
【００４５】
硬貨投入口２６又は紙幣挿入口２８は、料金を支払うために設けられる。硬貨返却レバー２７は、硬貨が詰まった場合等に利用される。また、硬貨返却レバー２７を回した場合、又は、投入金額に対して釣り銭がある場合は、釣り銭返却口２９から放出される。
【００４６】
レシート取出し口３０は、本体部１ａの内部にレシート発行手段を備え、徴収金額や注文内容が印刷されたレシートが発行される。
【００４７】
プリント物（標準プリント用）取出し口３１、及びプリント物（プリカットシール用）取出し口３２は、本体の内部に出力装置を備え、印刷物が即時プリントされ、取出し口３１、３２に放出される。
【００４８】
また、前面ドア開閉キー３３を回すことにより前面ドアの開閉ができるとともに前面ドアの開放により、本体部１ａの内部に設置されている各装置のメンテナンスを行うことができる。本体部１ａの内部には、タッチパネル付きモニタ２１の画面、各記録メディアの挿入口２１ａ〜２１ｅ、スキャナ２２の読み取り面に対応して、それぞれの本体が設置されている。また、スピーカ２５に対応してボリューム調節部が設置されている。更に、硬貨投入口２６、硬貨返却レバー２７、紙幣挿入口２８、及び、釣銭返却口２９に対応して、硬貨の識別、収納、釣銭返却を行うコインメック（硬貨処理装置）や、紙幣の識別、収納を行うビルバリ（紙幣処理装置）、及び、コインメックが満杯になった時に硬貨を貯める金庫が設置されている。更にまた、レシート取出口３０に対応して、レシートプリンタが設置されている。更にまた、プリント物取出口３１、プリント物取出口３２に対応してプリンタが設置されている。
【００４９】
また、外観からは明確に認識できないが、本体部１ａの内部には、本体部１ａの各装置を制御するための制御部を含むパソコンや、電圧の変換を行う電源ボックス、停電時に制御部のＣＰＵやハードディスクなどの破損を防ぐ無停電電源装置等が設置されている。
【００５０】
次に、本発明のプリントシステムの動作概要（処理手順）を説明する。
【００５１】
図４は、プリント処理手順のフローチャートである。なお、わかりやすいように図１〜図３に示すプリント装置に該当する箇所に符号を付することとするが、特にこの形態に限られるものではない。
【００５２】
プリント装置１は、画像入力手段３としての第１画像入力部１１、又は第２画像入力部１２より、デジタルカメラ等で撮影された画像データや他の画像データが記録されているメディア（ＦＤやスマートメディア等）やＩ／Ｏ装置を介したデジタルカメラ等から画像データが入力される（ステップＳ１０１）。入力された画像データは、画像抽出手段４としての画像処理プログラム等により入力された画像データを抽出する（ステップＳ１０２）。プリント装置１は、抽出された画像データの中から特定の画像を選択するための選択方法を選択するための選択プログラムを起動する。この選択プログラムが実行されると、プリント装置の画面に入力した画像データから特定の画像データを選択するための選択画面が表示される（ステップＳ１０３）。ユーザは、外部入力手段６により、特定の画像を選択するための選択方法を入力（選択）し（ステップＳ１０４）、その選択方法にしたがって画像を特定する（ステップＳ１０５）。
【００５３】
図５は画面に表示する画像データを選択するための選択画面である。
【００５４】
図示のように、画面４０は、画面上に表示する画像数、拡張子、日付け、等の選択項目４０ａ、４０ａ、４０ａと、選択肢４０ｂ、４０ｂ・・・４０ｂ及び入力枠４０ｃ、４０ｃと、から構成されている。この選択肢４０ｂから選択、又は入力枠４０ｃに入力することにより、その条件にあった画像データが画面に表示される。
【００５５】
また、上記表示方法を選択するための選択画面の形態に限られず、例えば、顧客が入力した画像ファイルデータの作成日時の新しい順又は古い順にしたがって表示する項目や、画像ファイルデータの名前の昇順又は降順にしたがって表示する項目や、テキストファイルなどに記録されている表示順序にしたがって表示する項目等を設けて、画面上に表示する順序を設定するようにしてもよい。
【００５６】
次に、表示された画像データから画像データを特定するための検索手段を選択する。
【００５７】
図６は検索手段を選択するための選択画面である。図示のように、画面４５は、複数の画像データを適当に選択しながら、特定の画像データを絞り込んで特定の画像データを検索するための絞り込み選択手段としての絞り込み選択ボタン４６と、複数の画像データ（例えば、９画像）を表示し、その次の画面や前の画面をめくるようにして閲覧、若しくは不特定の画像データが表示されている画面（ページ）をスキップさせて特定の画像データを検索するためのスキップ検索手段としてのスキップ選択ボタン４７と、入力された画像データの情報データを画面上に一覧表示し、その名前等の情報データから画像データを検索するための一覧表示検索手段としての一覧表示検索ボタン４８と、から構成される。
【００５８】
また、上記検索方法を選択するための選択画面の形態に限られず、例えば入力された画像ファイルのデータを一覧表示した後、画像ファイルの作成日時、画像ファイルの名前、条件を入力、キーワードを入力等により条件を絞り込んで検索をするようにしてもよい。
【００５９】
絞り込み選択ボタンを選択した場合の選択例を図７に示す。図７は画像入力手段としての入力部により入力された画像データと、図５の選択画面において選択した条件と一致する画像１〜ｎを抽出し、その抽出された画像が表示される画面４６ａとともに、画面上左右に次めくりボタン４０ｂと、前めくりボタン４６ｃと、を備える。また、所定部（図中右下隅部）には画像を特定するための確定ボタン４６ｄを備える。
【００６０】
ユーザは、表示されている画面中で画像（例えば、Ａ〜Ｃ）に接触することにより画像を選択する。選択はいくつでもよい。また、画像が大量にある場合は、次めくりボタン４６ｂを押し、次の画面を表示して更に別の画像を選択する。確定ボタン４６ｄを選択することにより、上記画面図７（ａ）において選択された複数の画像のみを抽出して、抽出した画像が再表示される。次に、次画面等においても、図７（ａ）で行った操作と同様に画像を選択する。上記操作を繰り返して、１画面上（ここでは９画像）に画像が絞り込まれるまで上記操作を繰り返す。最後に、その画像の中から特定の画像Ｘを選択し、確定ボタン４６ｄを選択することにより画像Ｘが特定される（図７（ｂ）参照）。
【００６１】
このように、絞り込み検索手段が、前記画像入力手段３により入力された画像データを画像として表示する表示手段と、前記表示された画像を選択するための選択手段と、前記選択手段により選択された画像のみを抽出するための抽出手段と、前記抽出手段により抽出された画像を再表示するための再表示手段と、が備えられている。そのため、画面上に表示された複数の画像において、その画像の中から任意の画像を選択することにより画像の選択範囲を徐々に狭めて、画像を絞り込むことができるため、特定の画像を容易に検索することができる。
【００６２】
スキップ選択ボタンを選択した場合の選択例を図８に示す。図８は画像入力手段としての入力部により入力された画像データと、図５の選択画面において選択した条件と一致する画像１〜ｎを抽出し、その抽出された画像が所定の画面数ごとにページ分けされて表示される画面４７ａとともに、ページ分けされた画面（ページ）毎にページ番号が付されて表示される。また、画面上左右には、次ページを表示するための次めくりボタン４７ｂと、前ページを表示するための前めくりボタン４７ｃと、を備える。また、所定部には、全画面のページ番号４７ｆ、４７ｆ・・・４７ｆのみを列挙した番号部４７ｅが備えられており、顧客が所望するページ番号４７ｆを選択することによりそのページ（画面）を表示（特定）することができる。また、所定部（図中右下隅部）には画像を確定するための確定ボタン４７ｄを備える。図７と同様であるが、スキップ選択の場合は、上記に示した絞り込み選択のように次々と画像を選択して画像を絞り込んでいくことはできない。スキップ選択の場合は次めくりボタン４７ｂと前めくりボタン４７ｃを使用して、別の画像を表示しながら（画面をめくりながら）、特定の画像Ｘを選択し、確定ボタン４７ｄを選択することにより画像が特定される。また、ページ番号により画面をスキップして所望の画面を表示し、画像データを検索するようにしてもよい。
【００６３】
このように、スキップ検索手段は、画像入力手段により入力された画像データの画像を所定の画面数ごとにページ分けするための分割手段と、前記分割手段によりページ分けされたページ毎にページ番号を付するための付勢手段と、前記分割手段と付勢手段により処理された画像データとページ番号とを備える画面を表示するための表示手段と、次ページ又は前ページの画面を閲覧するためのめくり手段と、前記付勢手段により付されたページ番号により所望する画面を特定するための画面特定手段と、が備えられている。そのため、めくり手段又はページ番号により画面をスキップさせて、特定の画像データを容易に検索することができる。
【００６４】
一覧表示検索ボタンを選択した場合の選択例を図９に示す。図９は画像入力手段としての入力部により入力された画像データの情報データが項目別（例えば、名前とファイルの種類と更新日付とサイズ等）に抽出され、図５の選択画面（所望の情報データに関連する情報データを入力する画面）において入力された情報と一致する画像データのみが抽出されて画面に一覧表示される。具体的には、図示のように、名前とファイルの種類と更新日付とサイズ等の項目欄４８ｂとチェックボックス４８ｃと情報データ４８ｄとから構成される画面４８ａが表示される。ユーザはその情報データを基にチェックボックス４８ｃにチェック４９する。チェック４９することにより画像が特定される。また、チェック４９が複数ある場合は、図７、又は図８と同様の画面が表示されるので、その中から画像を選択することにより、画像が特定される。
【００６５】
このように、一覧表示検索手段は、画像入力手段により入力された画像データの情報データを項目別に抽出する抽出手段と、所望の情報データに関連する情報データを入力するための入力手段と、前記入力手段により入力された情報データと前記抽出手段により抽出された情報データとが比較されて一致する情報データのみを一覧表示するための表示手段と、が備えられている。そのため、顧客が所望の情報データに関連する情報データを入力手段に入力することにより、入力した情報データに関連する画像データが表示手段により一覧表示されるため、特定の画像データを容易に検索することができる。
【００６６】
上記選択方法（画像の特定方法）をユーザが選択し、選択した方法にしたがって画像データが特定されると、その画像データが編集手段８により編集されるとともに、表示手段９によりタッチパネル付きモニタ２１に表示される。
【００６７】
表示される画面例を図１０に示す。図１０は画像の色調を変換するための色調変換手段が備えられている。具体的には、図示のように、画像の色調を表示するための画面５０と、その画面５０の下に色調を変換するための種類としてのカラーバランスと、コントラストと、シャープさと、明るさと、ぼかしとからなる選択項目５１、５１・・・５１と、確定ボタン５３と、を備える。また、各選択項目の下には、その色調レベル５２、５２・・・５２が段階的に区切られた選択枠が設けられている。例えば、カラーバランスであれば、その色要素毎に（イエロー〈Ｙ〉、マゼンダ〈Ｍ〉、シアン〈Ｃ〉）段階的に強度を調節することによって、所望のカラーバランスを得ることができる。また、コントラストであれば、右端であるほどコントラストが強調される。シャープさであれば、右端であるほどシャープになる。明るさであれば、右端であるほど明るくなる。
【００６８】
ユーザは、自分の好みに応じて、選択枠の内、区切られた枠の一カ所を選択することにより、特定された画像の色調が変換される。選択枠を選択するたびに、色調変換プログラムが起動して、色調変換され画面５０に画像が再表示される。
【００６９】
このように色調変換手段７は、前記検索手段５ａにより検索された特定の画像データの色調を変換するための項目と前記項目の色調レベルとを表示するための表示手段と、前記表示手段により表示された色調レベルを変更するための変更手段と、が備えられている。そのため、変更手段により前記特定の画像データの色調レベルを変更することができるため、容易に画像データの色調を自分の意図する色調に変換して出力することができる。また特定画像データを表示するための表示手段と、変更手段により色調レベルを変更した後の特定画像データを再表示するための再表示手段と、が備えられているので、色調レベル変更後の特定画像データを確認できる。
【００７０】
表示される他の画面例を図１１に示す。図１１は検索手段により検索された特定の画像データと、予め設定された色調に変換された色調の異なる画像データとが表示されている。具体的には、図示のように、Ｇ０１〜ｎ個の画像５５ａ〜５５ｉが表示された画面５５と確定ボタン５６とを備える。この画面５５は、画面色調変換プログラムが起動して予め設定されている色調に色調変換されて、１画面上に、例えば、標準５５ａ、モノクロ調５５ｂ、セピア調５５ｃ、エンボス調５５ｄ、輪郭調５５ｅ、モザイク調５５ｆ、グレースケール調５５ｇ、インデックス調５５ｈ等の画像が表示される。
【００７１】
ユーザは、自分の好みに応じて、Ｇ０１〜ｎ個の画像の中から特定の画像に接触することにより、特定の画像を選択できる。
【００７２】
また、同様のユーザインターフェイスを使用して、画像のカラーバランスを任意に変換させることも可能である。
【００７３】
即ち、あるカラー画像を画面５５の位置に配し、その周囲にある画面５５ａ〜５５ｉには、同じ画像の異なる色要素を変化させ、カラーバランスを調整した画像を配する。例えば、中心の５５に位置するカラー画像について、そのグリーンの要素を強めた画像を５５ａに配し、イエローの要素を強めた画像を５５ｂに配し、レッドの要素を強めた画像を５５ｃに配し、その他５５ｄ乃至５５ｉにおいても、特定の色要素を強めた画像を配するようにする。
【００７４】
使用者は中心画像の色要素のうち、レッドを強めたい場合は、５５ｃをタッチする。すると５５ｃにあった画像（レッドの強まった画像）が中心５５に移動する。その移動に伴って、該レッドの強まった画像を基準として、移動前と同様の位置関係において５５ａ〜５５ｉにはそれぞれ異なった色要素が強まった画像が表示される。
【００７５】
使用者がある画像のレッドの色要素を強めたいと考える場合は、レッドが任意の強さに至るまで、５５ｃの位置にある画像を連続してタッチすればよい。また、その他の色要素においても同様の操作を行うことにより、簡便に使用者が望む任意の色調を得ることができる。
【００７６】
このように色調変換手段７は、前記検索手段５ａにより検索された特定の画像データの色調を予め設定された色調に変換し色調の異なる画像データを複数表示するための表示手段と、前記表示手段により表示された画像データの中から所望の画像データを選択するための選択手段と、が備えられている。そのため、表示手段により表示された色調の異なる画像データの中から特定の画像データを選択するだけで、容易に自分の意図する色調に変換した画像を得ることができる。
【００７７】
このようにしてユーザは、画像を特定するとともに、外部入力手段６により、特定された画像データの色調を選択して（ステップＳ１０６）、好みの画像に変換することが可能となる。特定されるとともに、変換された画像は、再度、編集手段８により編集され、表示手段９によりタッチパネル付きモニタ２１に表示された後、出力手段１０により印刷されて出力される（ステップＳ１０７）。
【００７８】
また、画像データが複数ある場合に、一画面内に収める画像データの数を設定可能にするようにしてもよい。その際、表示する画像数の上限を設定しておくとよい。
【００７９】
以上、プリント装置の機能の実施例を示したが、本発明のプリントシステムは、この実施形態に限定されず、種々の形態により実施することができる。
【００８０】
【発明の効果】
以上に説明したように本発明に係るプリントシステムによれば、複数の画像データの中から容易に所望の画像データを検索することができる。また、画像データの色調を自分の意図する色調に変更して印刷物として出力することができる。
【図面の簡単な説明】
【図１】本発明のプリントシステムの動作概要図である。
【図２】プリント装置のシステム図である。
【図３】プリント装置の外観図である。
【図４】プリント処理手順のフローチャートである。
【図５】画面に表示する画像データを選択するための選択画面である。
【図６】検索手段を選択するための選択画面である。
【図７】絞り込み選択ボタンを選択した場合の選択例を示し、図７（ａ）は画像データ選択図、図７（ｂ）は画像データ特定図である。
【図８】スキップ選択ボタンを選択した場合の選択例である。
【図９】一覧表示検索ボタンを選択した場合の選択例である。
【図１０】特定画像データの色調変換を行うための画面表示例である。
【図１１】特定画像データの色調変換を行うための他の画面表示例である。
【符号の説明】
３    画像入力手段
４    画像抽出手段
５    選択手段
５ａ  検索手段
７    色調変換手段
９    表示手段
１０    出力手段
１１    第１画像入力部
１２    第２画像入力部
１３    入力・表示部
１４    出力部
１７    記憶部
４６    絞り込み検索手段
４７    スキップ検索手段
４８    一覧表示検索手段
【図１】
0003822085.tif 000002
【図２】
0003822085.tif 000003
【図３】
0003822085.tif 000004
【図４】
0003822085.tif 000005
【図５】
0003822085.tif 000006
【図６】
0003822085.tif 000007
【図７】
0003822085.tif 000008
【図８】
0003822085.tif 000009
【図９】
0003822085.tif 000010
【図１０】
0003822085.tif 000011
【図１１】
0003822085.tif 000012